(57)【要約】【課題】第１、第２の回転ブラシが効率よく回転し、塵埃除去性能に優れた掃除機用吸込具を提供する。【解決手段】駆動源（図示せず）で回転駆動されると共に周面長手方向に第１の清掃片３１ｄを有する第１の回転ブラシ３１と、第１の回転ブラシ３１と平行に配され第１の回転ブラシ３１で回転駆動されると共に周面長手方向に第２の清掃片３２ｄを有する第２の回転ブラシ３２とを備え、第２の回転ブラシの高さを調整可能としたもので、第２の回転ブラシ３２の第２の清掃片３２ｄと被掃除面との接触抵抗を調整可能とすることで、絨毯等の比較的接触抵抗が大きくなる場合には第２の回転ブラシ３２に加わる負荷がを軽減することができ、それにより第２の回転ブラシ３２を回転駆動する第１の回転ブラシ３１に加わる負荷も減り、第１及び第２の回転ブラシ３１、３２が効率よく回転し、塵埃除去性能が大幅に向上する。【選択図】図５
2008104627.tif 000002
【特許請求の範囲】
【請求項１】
周面長手方向に第１の清掃片を有する第１の回転ブラシと、前記第１の回転ブラシを回転駆動する駆動源と、前記第１の回転ブラシと平行に配され前記第１の回転ブラシで回転駆動されると共に周面長手方向に第２の清掃片を有する第２の回転ブラシとを備え、前記第２の回転ブラシの回転中心を、上下方向で移動可能とした掃除機用吸込具。
【請求項２】
第２の回転ブラシの回転中心を、被掃除面の種類に応じて、上下方向で調整可能とした請求項１に記載の掃除機用吸込具。
【請求項３】
第２の回転ブラシの回転中心を下げたときに、前記第２の回転ブラシの第２の清掃片が摺接すると共に、その摺接によりイオンを発するイオン発生体を設けた請求項２に記載の掃除機用吸込具。
【請求項４】
第１の回転ブラシの第１の清掃片と第２の回転ブラシの第２の清掃片をオーバーラップさせて、前記第１の回転ブラシで前記第２の回転ブラシを回転駆動すると共に、前記第２の回転ブラシを下方に付勢する付勢手段を設けた請求項１〜３のいずれか１項に記載の掃除機用吸込具。
【請求項５】
付勢手段で第２の回転ブラシの両端を下方に付勢するようにした請求項４に記載の掃除機用吸込具。
【請求項６】
付勢手段で第２の回転ブラシの略中央部を直接下方に押さえつけるようにした請求項４に記載の掃除機用吸込具。
【請求項７】
付勢手段の少なくとも第２の清掃片に摺接する部分に、イオンを発するイオン発生部材を配した請求項６に記載の掃除機用吸込具。
【請求項８】
第１の回転ブラシの第１の清掃片と第２の回転ブラシの第２の清掃片をオーバーラップさせて、前記第１の回転ブラシで前記第２の回転ブラシを回転駆動すると共に、第１及び第２の回転ブラシを収納する収納室を設け、前記収納室の内壁面と第２の清掃片とが当接することにより、第２の回転ブラシが下方に付勢されるようにした請求項１に記載の掃除機用吸込具。
【請求項９】
第２の清掃片が収納室の内壁面と摺接する部分に、イオンを発するイオン発生部材を配した請求項８に記載の掃除機用吸込具。
【請求項１０】
第１の回転ブラシと第２の回転ブラシの両端の内少なくともそれぞれの一端を同時に保持する軸受体を設けた請求項１〜９に記載の掃除機用吸込具。
【請求項１１】
電動送風機と、請求項１〜１０のいずれか１項に記載の掃除機用吸込具を備えた電気掃除機。
【発明の詳細な説明】
【技術分野】
【０００１】
本発明は、掃除機用吸込具及び電気掃除機に関するものである。
【背景技術】
【０００２】
従来の掃除機用吸込具は、電動機等で回転駆動される１本の回転ブラシを備え、その回転ブラシの外周長手方向に設けた清掃片で、被掃除面の塵埃を掻き上げるようにしていた。しかしながら、回転ブラシが一本だけでは、十分被掃除面を清掃できないため、回転ブラシを２本平行に備えたものが発明された。ところが２本の回転ブラシのそれぞれを回転させるために電動機を２個用いると、掃除機用吸込具が重くなり、掃除機用吸込具の操作性が悪くなるという問題がある。
【０００３】
そこで、図１２に示すように、電動機５１で回転駆動されると共に外周に清掃片５２を設けた第１の回転ブラシ５３と、同じく外周に清掃片５４を設けた第２の回転ブラシ５５とを平行に設け、清掃片５２と清掃片５４同士をオーバーラップさせて第１の回転ブラシ５３の回転力を第２の回転ブラシ５５に伝達して第２の回転ブラシ５５を回転させるようにしたものがある（例えば、特許文献１及び２参照）。
【特許文献１】特開２００３−１２５９９１号公報
【特許文献２】実開昭５７−１８１２４９号公報（実願昭５６−０６９３７８号のマイクロフイルム）
【発明の開示】
【発明が解決しようとする課題】
【０００４】
しかしながら、上記従来の掃除機用吸込具の構成では、特に、被掃除面が絨毯の場合、第１の回転ブラシ５３で回転駆動される第２の回転ブラシ５５の清掃片５４の突出代が第１の回転ブラシ５３の清掃片５２のそれより短いため、清掃片５４の腰が強くなり、その結果、清掃片５４が絨毯に食い込みやすくなって回転しにくくなり、掃除性能を十分発揮できないという課題があった。
【０００５】
また、清掃片５４が絨毯に食い込むことにより、第２の回転ブラシ５５に大きな負荷が加わるため、それを回転駆動する第１の回転ブラシ５３の回転力が低下したり、第１の回転ブラシ５３を回転駆動する電動機５１にも過大な負荷が加わり、電動機５１が異常に発熱したり、焼損するなどの課題があった。
【０００６】
本発明は、前記従来の課題を解決するもので、第１及び第２の回転ブラシが効率よく回転し、塵埃除去性能に優れた掃除機用吸込具及び電気掃除機を提供することを目的とする。
【課題を解決するための手段】
【０００７】
前記従来の課題を解決するために、本発明の掃除機用吸込具は、周面長手方向に第１の清掃片を有する第１の回転ブラシと、前記第１の回転ブラシを回転駆動する駆動源と、前記第１の回転ブラシと平行に配され前記第１の回転ブラシで回転駆動されると共に周面長手方向に第２の清掃片を有する第２の回転ブラシとを備え、前記第２の回転ブラシの回転中心を、上下方向で移動可能としたもので、例えば、被掃除面が絨毯など第２の回転ブラシの第２の清掃片に加わる負荷が大きい時に、第２の回転ブラシの回転中心を上方に移動することで、第２の回転ブラシの第２の清掃片に加わる負荷が軽減し、第２の回転ブラシを回転駆動する第１の回転ブラシの回転が抑制されるのを防止し、また、被掃除面が、第２の回転ブラシの第２の清掃片に加わる負荷が軽い木床の場合は、第２の回転ブラシの回転中心を下方に移動することで、第２の回転ブラシの第２の清掃片で掃除面を確実に拭き、磨きあげることが出来る。
【０００８】
また、本発明の電気掃除機は、電動送風機と、請求項１〜１１のいずれか１項に記載の掃除機用吸込具を備えたもので、塵埃除去性能に優れた掃除機用吸込具を用いることで、操作性、掃除性能に優れた電気掃除機を提供することが出来る。
【発明の効果】
【０００９】
本発明の掃除機用吸込具及び電気掃除機は、第１及び第２の回転ブラシが効率よく回転し、塵埃除去性能に優れたものである。
【発明を実施するための最良の形態】
【００１０】
第１の発明は、周面長手方向に第１の清掃片を有する第１の回転ブラシと、前記第１の回転ブラシを回転駆動する駆動源と、前記第１の回転ブラシと平行に配され前記第１の回転ブラシで回転駆動されると共に周面長手方向に第２の清掃片を有する第２の回転ブラシとを備え、前記第２の回転ブラシの回転中心を、上下方向で移動可能としたもので、例えば、被掃除面が絨毯など第２の回転ブラシの第２の清掃片に加わる負荷が大きい時に、第２の回転ブラシの回転中心を上方にいどうすることで、第２の回転ブラシの第２の清掃片に加わる負荷が軽減し、第２の回転ブラシを回転駆動する第１の回転ブラシの回転が抑制されるのを防止し、また、被掃除面が、第２の回転ブラシの第２の清掃片に加わる負荷が軽い木床の場合は、第２の回転ブラシの回転中心を下方に移動することで、第２の回転ブラシの第２の清掃片で掃除面を確実に拭き、磨きあげることが出来る。
【００１１】
第２の発明は、特に第１の発明において第２の回転ブラシの回転中心を、被掃除面の種類に応じて、上下方向で調整可能としたもので、例えば、被掃除面が絨毯など第２の回転ブラシの第２の清掃片に加わる負荷が大きい時に、第２の回転ブラシの回転中心を上方に上げると、第２の回転ブラシの第２の清掃片に加わる負荷が軽減し、第２の回転ブラシを回転駆動する第１の回転ブラシの回転が抑制されるのを防止し、また、被掃除面が、第２の回転ブラシの第２の清掃片に加わる負荷が軽い木床の場合は、第２の回転ブラシの回転中心を下げるようにすると、第２の回転ブラシの第２の清掃片で掃除面を確実に拭き、磨きあげることが出来る。
【００１２】
第３の発明は、特に、第２の発明の第２の回転ブラシの回転中心を下げたときに、前記第２の回転ブラシの第２の清掃片が摺接すると共に、その摺接によりイオンを発するイオン発生体を設けたもので、第２の回転ブラシの回転中心を下げて抵抗の少ない木床などの被掃除面を掃除するときに、第２の回転ブラシの第２の清掃片が、例えば、マイナスイオンを発生させる材料からなるイオン発生体に摺接すると、マイナスイオンに帯電し、それが被掃除面に触れることで、被掃除面上の塵埃にマイナスイオンが付着し、塵埃が被掃除面から取れやすくなり、一層塵埃除去性能を向上させることができる。また、絨毯などの掃除のときに、第２の回転ブラシの回転中心を上に上げると、第２の回転ブラシがイオン発生体に当たらないので、第２の回転ブラシに余分な負荷が加わることが無い。
【００１３】
第４の発明は、特に、第１〜３のいずれか１つの発明の第１の回転ブラシの第１の清掃片と第２の回転ブラシの第２の清掃片をオーバーラップさせて、前記第１の回転ブラシで前記第２の回転ブラシを回転駆動すると共に、前記第２の回転ブラシを下方に付勢する付勢手段を設けたもので、第１の回転ブラシの回転により、第２の回転ブラシに上向きの力、すなわち第２の回転ブラシが掃除面から離れる方向に力が働くが、付勢手段により、その上向きの力が抑えられるので、第２の回転ブラシの第２の清掃片による塵埃の除去性能や掃除面の拭き・磨き性能が低下することが無い。
【００１４】
第５の発明は、特に、第４の発明の付勢手段で第２の回転ブラシの両端を下方に付勢するようにしたもので、下方への付勢力が第２の回転ブラシの長手方向に渡って均一に加わるので、第２の回転ブラシの第２の清掃片による掃除面上の塵埃の除去や拭き・磨きにむらが出ない。
【００１５】
第６の発明は、特に、第４の発明の付勢手段で第２の回転ブラシの略中央部を直接下方に押さえつけるようにしたもので、第２の回転ブラシの下方への付勢がより確実に出来るようになるので、掃除面に多少凹凸があっても、第２の回転ブラシが飛び跳ねたりせず、第２の回転ブラシによる掃除面上の塵埃の除去や拭き・磨きにむらが出ない。
【００１６】
第７の発明は、特に、第６の発明の付勢手段の少なくとも第２の清掃片に摺接する部分に、イオンを発するイオン発生部材を配したもので、例えば、マイナスイオンを発するイオン発生部材を用いると、第６の発明による効果に加え、イオン発生部材から発するマイナスイオンが第２の回転ブラシの第２の清掃片を経て掃除面上の塵埃に付加され、塵埃が掃除面から離れやすくなって塵埃除去性能を向上させることが出来る。
【００１７】
第８の発明は、特に、第１の発明において、第１の回転ブラシの第１の清掃片と第２の回転ブラシの第２の清掃片をオーバーラップさせて、前記第１の回転ブラシで前記第２の回転ブラシを回転駆動すると共に、第１及び第２の回転ブラシを収納する収納室を設け、前記収納室の内壁面と第２の清掃片とが当接することにより、第２の回転ブラシが下方に付勢されるようにしたもので、別途付勢用の部品を必要とせず、構成を簡単にしつつ、第４の発明と同様の効果を得ることが出来る。
【００１８】
第９の発明は、特に、第８の発明において、第２の清掃片が収納室の内壁面と摺接する部分に、イオンを発するイオン発生部材を配したもので、第６と同様の効果を得ることが出来る。
【００１９】
第１０の発明は、第１の回転ブラシと第２の回転ブラシの両端の内少なくともそれぞれの一端を同時に保持する軸受体を設けたもので、第１の回転ブラシと第２の回転ブラシと軸受体とを一体としたユニットとすることが可能となりメンテナンス性が向上する。また、第１の回転ブラシの軸心と第２の回転ブラシの軸心を常に等距離に保つことができるので、駆動力の伝達力を一定に保つことができる。
【００２０】
第１１の発明は、電動送風機と、請求項１〜１０のいずれか１項に記載の掃除機用吸込具を備えたもので、塵埃除去性能に優れた掃除機用吸込具を用いることで、操作性、掃除性能に優れた電気掃除機を提供することが出来る。
【００２１】
以下、本発明の実施の形態について、図面を参照しながら説明する。なお、この実施の形態によって本発明が限定されるものではない。
【００２２】
（実施の形態１）
本発明の第１の実施の形態における掃除機用吸込具について、図１〜８を用いて説明する。
【００２３】
図１は、本実施の形態における掃除機用吸込具を接続した電気掃除機の全体斜視図である。
【００２４】
図１において、掃除機本体１の後部に、電動送風機２を内蔵した電動送風機室３が配され、前部に、吸引された塵埃を捕集する集塵袋（図示せず）を着脱自在に収納すると共に電動送風機２の吸引側と連通する集塵室４が配され、後方下部の両側に１対の走行用の車輪６が回転自在に取付けられ、底面前部には、同じく走行用のキャスター７が取付けられている。掃除機本体１の前部には、ホース８の一端に設けた接続パイプ９が着脱自在に接続されると共に集塵室４と連通する吸気口１０が設けられている。
【００２５】
ホース８の他端には、掃除の際に握ると共に掃除機本体１の運転を操作するための操作部１１ａを有する把手１１を備えた先端パイプ１２が設けられている。１３は、伸縮自在或いは継ぎ自在の延長管で、下流側端部が前記先端パイプ１２に着脱自在に接続され、他端には、本実施の形態における掃除機用吸込具１６が着脱自在に接続される。
【００２６】
１７は、弾性材料からなり、掃除機本体１の前部から両側にかけて延設されたバンパーで、掃除機本体１の走行時に、掃除機本体１が家具、柱などに衝突してもそれらに傷を付けないようにするためのものである。１８は、掃除機本体１を持ち運ぶ際に握る本体ハンドルである。
【００２７】
次に、本実施の形態における掃除機用吸込具１６の詳細な構成について図２〜７を用いて説明する。
【００２８】
図２は、掃除機用吸込具１６の外観斜視図、図３は、同掃除機用吸込具１６の上ケースを外したときの平面図、図４は、同掃除機用吸込具１６の裏面図、図５は、同掃除機用吸込具１６の断面図、図６は、同掃除機用吸込具の第１及び第２の回転ブラシの拡大断面図、図７は、第２の回転ブラシの要部断面図である。
【００２９】
図２〜５において、掃除機用吸込具１６の外郭２０は、上ケース２０ａと、底面に開口２１を有する下ケース２０ｂから構成され、外周には、ウレタンなどの弾性材料からなり家具（図示せず）などに当たったときの衝撃を和らげるためのノズルバンパー２２が設けられている。掃除機用吸込具１６の後方中央部には、延長管１３の先端に着脱自在に接続される接続管２３が傾動自在に取着されている。
【００３０】
下ケース２０ｂの裏面の前側両端近傍に走行用の前輪２４が一対、後ろ側両端に同じく走行の後輪２５が一対、それぞれ回転自在に取着されている。
【００３１】
掃除機用吸込具１６の前部には、開口２１と接続管２３と連通する回転ブラシ室２７が配され、その回転ブラシ室２７の前側に、第１の回転ブラシ３１が、後ろ側に、前記第１の回転ブラシ３１と平行な第２の回転ブラシ３２が、それぞれ回転自在に設けられている。３３は、第１の回転ブラシ３１を正転方向、すなわち掃除機用吸込具１６を前進させる方向に回転駆動する駆動源となる電動機で、電動機３３のシャフト３３ａと、第１の回転ブラシ３１の端部に固着されたプーリー３１ａとの間に張架された駆動ベルト３４を介して、電動機３３の動力が第１の回転ブラシ３１に伝達されるようになっている。
【００３２】
また、第２の回転ブラシは上下方向に移動可能に構成すると共に、本実施の形態では第２の回転ブラシはダイヤル３６により回転中心位置を被掃除面の種類に応じて自由に調整できるようにしている。
【００３３】
第１の回転ブラシ３１は、外周長手方向に複数の溝部３１ｂを有し、一端にプーリー３１ａを有するコア３１ｃと、毛ブラシなどからなり一端が前記溝部３１ｂに装着され他端で被掃除面上の塵埃を掻き上げる第１の清掃片３１ｄから構成されている。また、第２の回転ブラシ３２は、外周長手方向に複数の溝部３２ｂを有するコア３２ｃと、同じく毛ブラシなどからなり一端が前記溝部３２ｂに装着され他端で被掃除面上の塵埃を掻き上げる第２の清掃片３２ｄから構成され、第２の回転ブラシ３２の第２の清掃片３２ｄのコア３２ｃの溝部３２ｂから突出した部分の長さは、第１の回転ブラシ３１の第１の清掃片３１ｄのコア３１ｃの溝部３１ｂから突出した部分のそれより長く、しかも、第１の清掃片３１ｄと第２の清掃片３２ｄとを、図６に示すようにオーバーラップさせて、第１の回転ブラシ３１が電動機３３によって回転すると、第２の回転ブラシ３２も回転するようになっている。
【００３４】
なお、第１の回転ブラシ３１と第２の回転ブラシ３２の両端の内、駆動ベルト３４を配していない方の端部は軸受体５７により第１の回転ブラシ３１の軸心３１ｇと第２の回転ブラシ３２の軸心３２ｇとが常に等距離になるように係止されている。
【００３５】
図７において、３５は、第２の回転ブラシ３２の軸３２ｅの少なくとも２箇所を回転自在に支持する支持板で、上端の両側に複数の凹凸３５ａが設けられている。上ケース２０ａの一部には、上記支持板３５の上端が貫通する穴２０ｃが設けられ、穴２０ｃより突出した支持板３５の上端には、凹凸３５ａに噛み合うネジ部３６ａを内壁に有するダイヤル３６が取着されている。３７は、支持板３５を下方に付勢するバネ部材である。
【００３６】
上記構成により、ダイヤル３６を一方向、例えば時計方向に回転させると、ネジ部３６ａに噛み合った凹凸３５ａを有する支持板３５を、バネ部材３７の付勢力に抗して引き上げ、反対方向に、すなわち反時計方向に回転させると、バネ部材３７の付勢力によって支持板３５を下げて、第２の回転ブラシ３２の回転中心位置を自由に調節することができる。
【００３７】
本実施の形態では、第２の回転ブラシ３２の第２の清掃片３２ｄは帯電順位がマイナス側の材料で形成されている。
【００３８】
４０は、帯電順位がプラス側の材料から形成されたイオン発生体で、第２の回転ブラシ３２の回転中心がもっとも下がったときに、第２の回転ブラシ３２の第２の清掃片３２ｄが摺接する位置に配されている。
【００３９】
次に、以上のように構成された掃除機用吸込具と電気掃除機の動作、作用について、図８を用いて説明する。
【００４０】
掃除機本体１から図示しない電源コードを引き出しその先端についた電源プラグ（図示せず）を部屋のコンセントに差し込んで、把手１１に設けた操作部１１ａを操作して、電動送風機２及び掃除機用吸込具１６に内蔵された電動機３３に通電すると、掃除機用吸込具１６の下ケース２０ｂの底面に設けた開口２１に電動送風機２による吸引力が作用し、木床や絨毯などの被掃除面から塵埃が吸引され、延長管１３、ホース８を通って集塵室４に運ばれ、そこで捕集される。
【００４１】
図８（ａ）に示すように、掃除機用吸込具１６を、木床やタイル床などの被掃除面上で操作して掃除する場合は、掃除機用吸込具１６の下ケース２０ｂに設けた前輪２４と後輪２５により、下ケース２０ｂの裏面と被掃除面との間に所定の隙間が確保される。従って、被掃除面が、第２の回転ブラシ３２の第２の清掃片３２ｄに加わる負荷が軽いので、ダイヤル３６を反対方向に、すなわち反時計方向に回転させる。そうすることにより、バネ部材３７の付勢力によって支持板３５と共に第２の回転ブラシ３２が下がり、第２の回転ブラシ３２の第２の清掃片３２ｄで掃除面を確実に拭き、磨きあげることが出来る。このように、被掃除面が木床やタイル床などの場合は、第２の回転ブラシを被掃除面に確実に接触するように高さを調整しても、第１の回転ブラシ３１の第１の清掃片３１ｄ及び第２の回転ブラシ３２の第２の清掃片３２ｄに加わる負荷が軽いので、第１の回転ブラシ３１、第２の回転ブラシ３２とも、効率よく回転し、塵埃を被掃除面から効果的に除去すると共に、同時に拭き、磨き効果も十分に発揮される。
【００４２】
次に、掃除機用吸込具１６を絨毯上で使用する場合について、図８（ｂ）を用いて述べる。
【００４３】
絨毯上では、前輪２４、後輪２５が、絨毯に没するので、第１の回転ブラシ３１の第１の清掃片３１ｄが絨毯の表面に接するようになるが、第１の回転ブラシ３１は、電動機３３により正転駆動されるので、掃除機用吸込具１６を前方に移動させる方向に、すなわち自走させる方向に力が働き、使用者は、絨毯上で、掃除機用吸込具１６を容易に前方向に移動させることが出来る。
【００４４】
一方、第２の回転ブラシ３２の第２の清掃片３２ｄに加わる負荷が大きくなるので、ダイヤル３６を時計方向に回転させて、支持板３５を、バネ部材３７の付勢力に抗して引き上げる。こうすることにより、第２の回転ブラシ３２が上方に移動し、第２の回転ブラシ３２の第２の清掃片３２ｄに加わる負荷が軽減し、第２の回転ブラシ３２を回転駆動する第１の回転ブラシ３１の回転が抑制されるのを防止することが出来る。
【００４５】
また、本実施の形態では、第２の回転ブラシ３２を上方に引き上げたときには、イオン発生体４０に当接しないように構成しているので、第２の回転ブラシ３２に余分な負荷が加わりそれにより、第１の回転ブラシ３１の回転が妨げられることも無い。
【００４６】
また、本実施の形態では、第２の回転ブラシ３２が最も下がったときに、第２の回転ブラシの第２の清掃片３２ｄがイオン発生体４０に摺接するようになっているので、第２の清掃片３２ｄがマイナス側に帯電する。そしてマイナスイオンを発する第２の清掃片３２ｄが被掃除面に触れることで、被掃除面上の塵埃にマイナスイオンが付着し、塵埃を被掃除面から容易に取り除くことができる。
【００４７】
さらに、第１の回転部ブラシ３１と第２の回転ブラシ３２は軸受体５７で回転自在に係止することでユニットとして構成することができるので、回転ブラシを掃除機用吸込具から取り外して付着したゴミを取り除いたりといったメンテナンス時の分解性、組立性を向上させることができる。また、第１の回転ブラシ３１の軸心３１ｇと第２の回転ブラシ３２の軸心３２ｇとが常に等距離になるように係止されているので、第１の回転部ブラシ３１から第２の回転ブラシ３２への駆動力の伝達を安定させることができる。本実施の形態では、回転ブラシの両端の内、片方のみを１個の軸受体で係止しているが、両端をそれぞれの軸受体で係止すれば、より効果的である。
【００４８】
なお、前方方向への自走効果がある場合、掃除機用吸込具１６を手前に引くとき、使用者の手に大きな負担が加わりそうだが、実際には、人は、ものをひくときに力をかけやすいので、さほど気にならない。
【００４９】
以上のように本実施の形態によれば、第２の回転ブラシ３２の第２の清掃片３２ｄの高さを調整可能とすることで被掃除面の種類に応じて第２の清掃片と被掃除面との接触抵抗を調整でき、第２の回転ブラシ３２に加わる負荷も調整でき、それにより第２の回転ブラシ３２を回転駆動する第１の回転ブラシ３１に加わる負荷も調整することが可能となり、第１及び第２の回転ブラシ３１、３２が効率よく回転し、塵埃除去性能が大幅に向上する。
【００５０】
また、電動機３３で回転駆動される第１の回転ブラシ３１を前側に、第２の回転ブラシを後ろ側にそれぞれ配し、運転時に前記第１の回転ブラシ３１を、本体を前進させる方向に回転させ、前記第２の回転ブラシ３２を前記第１の回転ブラシ３１の回転方向と逆方向に回転させるようにしているので、掃除機用吸込具１６を前方方向に移動させる力が効率よく且つ強力に作用し、特に絨毯上で、掃除機用吸込具１６を軽く操作できると共に、逆方向に回転する第２の回転ブラシで、掃除面の塵埃を第１の回転ブラシ３１と第２の回転ブラシ３２との間に弾き飛ばして、塵埃を、外部に漏らすこと無く確実に吸引することが出来る。
【００５１】
（実施の形態２）
図９は、本発明の第２の実施の形態における掃除機用吸込具の要部断面図である。なお、上記実施の形態と同一部分については、同一符号を付してその説明を省略する。
【００５２】
本実施の形態は、第２の回転ブラシ３２の両端を下方に付勢するようにしたものである。図９において、第２の回転ブラシのコア３２ｃの両端には金属棒３２ｆが圧入されている。４４は、軸受部で、上ケース２０ａに上下動自在に設けられた支持部４４ａと、支持部４４ａに固着され、前記金属棒３２ｆを回転自在に支持するオイルレスメタル４４ｂから構成されている。４５は、軸受部４４を下方に付勢する付勢手段となるスプリングで、支持部４４ａ及び上ケース２０ａのそれぞれに設けた突起４６で位置決めされている。上ケース２０ａの側壁には、支持部４４ａの下方への移動を規制するリブ４７が設けられている。５６は、第２の回転ブラシ３２とオイルレスメタル４４ｂとの間に配されたワッシャーである。
【００５３】
以上のように本実施の形態によれば、第２の回転ブラシ３２の両端をスプリング４５で下方に付勢しているので、下方への付勢力が第２の回転ブラシ３２の長手方向に渡って均一に加わり、第２の回転ブラシ３２の第２の清掃片３２ｄによる掃除面上の塵埃の除去や拭き・磨きにむらが出ない。
【００５４】
（実施の形態３）
図１０（ａ）は、本発明の第３の実施の形態における掃除機用吸込具の断面図、（ｂ）は、同掃除機用吸込具の第２の回転ブラシとそれを下方に付勢するバネ板との関係を示す斜視図である。なお、上記実施の形態と同一部分については、同一符号を付してその説明を省略する。
【００５５】
本実施の形態は、第２の回転ブラシ３２の略中央部を付勢手段で直接下方に押さえつけるようにしたものである。
【００５６】
図１０において、４８は、弾性材料からなり付勢手段となるバネ板で、一端で第２の回転ブラシ３２の略中央部を上方から押さえつけるように、他端が、上ケース２０ａの内面に設けた一対のボス部４９にネジ５０で固定されている。
【００５７】
以上のように、本実施の形態によれば、バネ板４８により、第２の回転ブラシ３２の下方への付勢がより確実に出来るようになり、被掃除面に多少凹凸があっても、第２の回転ブラシ３２が飛び跳ねたりせず、第２の回転ブラシ３２による掃除面上の塵埃の除去や拭き・磨きにむらが出ない。
【００５８】
なお、上記バネ板４８の第２の回転ブラシ３２の第２の清掃片３２ｄに摺接する部分（図中では、バネ板４８の裏面）に、擦られたときにマイナスイオンを発するイオン発生部材（図示せず）を取り付けておくと、イオン発生部材から発するマイナスイオンが第２の回転ブラシ３２の第２の清掃片３２ｄを経て掃除面上の塵埃に付加され、塵埃が掃除面から離れやすくなって塵埃除去性能を一層向上させることも出来る。
【００５９】
また、電動送風機２を有する電気掃除機に、掃除性能に優れた上記掃除機用吸込具１６を接続することにより、操作性、掃除性能に優れた電気掃除機を提供することが出来ることは、言うまでも無い。
【００６０】
（実施の形態４）
図１１は、本発明の第４の実施の形態における掃除機用吸込具の断面図であり、上記実施の形態と同一部分については、同一符号を付してその説明を省略する。
【００６１】
図において、収納室２７ａは、第１の回転ブラシ３１と第２の回転ブラシ３２を収納しており、第２の回転ブラシ３２の清掃片３２ｄは収納室２７ａの内壁面と摺接する構成となっている。
【００６２】
次に、以上のように構成された掃除機用吸込具と電気掃除機の動作、作用について、図１２を用いて説明する。
【００６３】
図１２（ａ）に示すように、掃除機用吸込具１６を、木床やタイル床などの被掃除面上で操作して掃除する場合は、掃除機用吸込具１６の下ケース２０ｂに設けた前輪２４と後輪２５により、下ケース２０ｂの裏面と被掃除面との間に所定の隙間が確保される。この際、第２の回転ブラシ３２は自重により、その清掃片３２ｄは床面に接しながら回転する。従って、第２の回転ブラシ３２の第２の清掃片３２ｄで掃除面を確実に拭き、磨きあげることが出来る。なお、この時、第２の清掃片３２ｄは収納室２７ａの内壁面に接するか、若干の隙間が出来るように設定することで回転に伴う負荷が軽減される様にしている。このように、被掃除面が木床やタイル床などの場合は、第２の回転ブラシを被掃除面に確実に接触させると共に、効率よく回転するように出来る。
【００６４】
次に、掃除機用吸込具１６を絨毯上で使用する場合について、図１２（ｂ）を用いて述べる。
【００６５】
絨毯上では、前輪２４、後輪２５が、絨毯に没するので、第１の回転ブラシ３１の第１の清掃片３１ｄが絨毯の表面に接するようになるが、第１の回転ブラシ３１は、電動機３３により正転駆動されるので、掃除機用吸込具１６を前方に移動させる方向に、すなわち自走させる方向に力が働き、使用者は、絨毯上で、掃除機用吸込具１６を容易に前方向に移動させることが出来る。
【００６６】
一方、第２の回転ブラシ３２は上方に移動し、第２の清掃片３２ｄと収納室２７ａの内壁面とが摺接する。そして、第２の清掃片３２ｄは収納室２７ａの内壁面によりたわむ状態となり、たわみによる反発力と絨毯との接圧とのバランスが取れた高さで、第２の回転ブラシ３２が維持される。このように、第２の回転ブラシ３２が上方に移動することにより、第２の回転ブラシ３２の第２の清掃片３２ｄに加わる負荷が軽減し、第２の回転ブラシ３２を回転駆動する第１の回転ブラシ３１の回転が抑制されるのを防止することが出来る。なお、第２の清掃片３２ｄが収納室２７ａの内壁面と摺接することにより、摩擦による負荷の増加が懸念されるが、収納室２７ａの内壁面の材質として摺動性の良好な材料を選択することで、負荷の増加を抑えることが出来る。
【００６７】
更に、収納室２７ａの内壁面にイオン発生体を配置すると、第２の清掃片３２ｄとイオン発生体との摺接によりマイナスイオンが発生し、第２の清掃片３２ｄがマイナス側に帯電する。そしてマイナスイオンを発する第２の清掃片３２ｄが被掃除面に触れることで、被掃除面上の塵埃にマイナスイオンが付着し、塵埃を被掃除面から容易に取り除くことができる。
【産業上の利用可能性】
【００６８】
以上のように、本発明にかかる掃除機用吸込具は、第１及び第２の回転ブラシが効率よく回転し、塵埃除去性能に優れたもので、家庭用、業務用、店舗用の各種電気掃除機に使用することが出来る。
【図面の簡単な説明】
【００６９】
【図１】本発明の第１の実施の形態における掃除機用吸込具を接続した電気掃除機の全体斜視図
【図２】同掃除機用吸込具の外観斜視図
【図３】同掃除機用吸込具の上ケースを外したときの平面図
【図４】同掃除機用吸込具の裏面図
【図５】同掃除機用吸込具の断面図
【図６】同掃除機用吸込具の第１及び第２の回転ブラシの拡大断面図
【図７】同掃除機用吸込具の要部断面図
【図８】（ａ）同掃除機用吸込具を木床上で運転する時の部分断面図、（ｂ）同掃除機用吸込具を絨毯上で運転する時の部分断面図
【図９】本発明の第２の実施の形態における掃除機用吸込具の断面図
【図１０】（ａ）本発明の第３の実施の形態における掃除機用吸込具の断面図、（ｂ）同掃除機用吸込具の第２の回転ブラシとそれを下方に付勢するバネ板との関係を示す斜視図
【図１１】本発明の第４の実施の形態における掃除機用吸込具の断面図
【図１２】（ａ）本発明の第４の実施の形態における掃除機用吸込具を木床上で運転する時の部分断面図、（ｂ）同掃除機用吸込具を絨毯上で運転する時の部分断面図
【図１３】従来の掃除機用吸込具の断面図
【符号の説明】
【００７０】
１６    掃除機用吸込具
２７ａ  収納室
３１    第１の回転ブラシ
３１ｄ  第１の清掃片
３２    第２の回転ブラシ
３２ｄ  第２の清掃片
３３    電動機（駆動源）
４５    スプリング（付勢手段）
４８    バネ板（付勢手段）
５７    軸受体
【図１】
2008104627.tif 000003
【図２】
2008104627.tif 000004
【図３】
2008104627.tif 000005
【図４】
2008104627.tif 000006
【図５】
2008104627.tif 000007
【図６】
2008104627.tif 000008
【図７】
2008104627.tif 000009
【図８】
2008104627.tif 000010
【図９】
2008104627.tif 000011
【図１０】
2008104627.tif 000012
【図１１】
2008104627.tif 000013
【図１２】
2008104627.tif 000014
【図１３】
2008104627.tif 000015